(57)【要約】【課題】洗い場用防水パン４、浴槽２、エプロン５を備えた浴室構造を浴槽用防水パン３を備えた構造へ容易に仕様変更できるようにすること。【解決手段】配置した洗い場用防水パン４と浴槽２とをエプロン５で水密に接合し、洗い場用防水パン４及び浴槽２に設けた載置部に仕切部材とを載置し、エプロン５の洗い場側となる手前面の両側に仕切部材６を水密に当接し、浴室外空間Ｑに配置した浴槽用防水パン３の上に浴槽２を設置し、浴槽用防水パン３の起立周壁３ｂ〜３ｅと浴槽２との間に、洗い場寄りとなる手前側を除く三方に三方壁部材４０を配設して、起立周壁３ｅと三方壁部材４０とで接合用口部４２を形成し、接合用口部４２を形成する縁部を、洗い場用防水パン３、浴槽２及びエプロン５の浴室外空間Ｑに面する部分の対応する箇所に水密に接合したものである。【選択図】図７
2008169600.tif 000002
【特許請求の範囲】
【請求項１】
配置した洗い場用防水パンと浴槽とを、覆蓋できる作業口を有するエプロンで水密に接合し、洗い場用防水パン及び浴槽に設けた仕切部材用載置部に、洗い場側仕切部材と浴槽側仕切部材とを載置し、エプロンの洗い場側となる手前面の両側に、隣接する洗い場側仕切部材を水密に当接し、洗い場用防水パン、浴槽、エプロン及び仕切部材で浴室内空間と浴室外空間とに区画した浴室構造において、底壁と底壁の四周から立設する起立周壁とを一体に成形した浴槽用防水パンを浴室外空間に配置して、浴槽用防水パンの上に前記浴槽を設置し、浴槽用防水パンの洗い場寄りとなる手前側を除く三方の起立周壁と浴槽の仕切部材用載置部の裏面側又は仕切部材用載置部の近辺との間に、上記三方に壁面部を有する三方壁部材を配設して、浴槽用防水パンの三方の起立周壁と三方壁部材とを水密に接合すると共に、浴槽用防水パンの上記手前側の起立周壁と三方壁部材とで接合用口部を形成し、浴槽用防水パンの上記手前側の起立周壁及び三方壁部材の該接合用口部を形成する縁部を、洗い場用防水パン、浴槽及びエプロンの浴室外空間に面する部分の対応する箇所に水密に接合して、浴槽用防水パン、三方壁部材、浴槽及びエプロンで囲まれる囲繞空間を浴槽裏側に形成したことを特徴とする浴室構造。
【請求項２】
前記洗い場用防水パンの浴室外空間へ延設した接合片に、前記浴槽用防水パンの手前側の起立周壁の縁部を接合し、前記エプロンの浴室外空間へ延設した接合片に、前記三方壁部材の三方の壁面部のうちの対峙する両方の壁面部の手前側の縁部を接合し、前記浴槽の浴室外空間に面する箇所に、前記三方壁部材の三方の壁面部の上方の縁部を接合した請求項１記載の浴室構造。
【請求項３】
前記洗い場用防水パンの浴室外空間へ延設した接合片、前記浴槽用防水パンの手前側の起立周壁の縁部に設けた接合片、及び、前記エプロンの下方側に設けた接合片の三つをボルト・ナットからなる連結具で一緒に連結した請求項２記載の浴室構造。
【請求項４】
前記三方壁部材の三方の壁面部が、独立成形されている壁パネルどうしを水密に連結して形成されている請求項１、２又は３記載の浴室構造。
【請求項５】
前記三方壁部材の三方の壁面部が、折曲げ自在な板材をコ字状に折り曲げて形成されている請求項１、２又は３記載の浴室構造。
【請求項６】
前記三方壁部材の三方の壁面部が、可撓性シートをコ字状に折り曲げて形成されている請求項１、２又は３記載の浴室構造。
【請求項７】
前記三方壁部材の三方の壁面部が、前記浴槽用防水パン及び前記浴槽と別体の複数本の支持ポストと複数枚の面材とを用い、前記浴槽用防水パンの起立周壁と浴槽との間に支持ポストを配設すると共に隣接する支持ポストの間に面材を配設し、隣接する面材どうしを支持ポストを介して水密に接合して形成されている請求項１、２又は３記載の浴室構造。
【発明の詳細な説明】
【技術分野】
【０００１】
本発明は、洗い場用防水パン、壁パネル、浴槽及びエプロンを用いて浴室を構築する浴室構造の改良に関するものである。
【背景技術】
【０００２】
浴室構造には、設置した洗い場用防水パンと浴槽とを、覆蓋できる作業口を有するエプロンで水密に接合し、洗い場用防水パン及び浴槽の各縁部に設けた仕切部材用載置部に壁パネル等の仕切部材を載置し、エプロンの洗い場側となる手前面の両側に仕切部材を水密に当接し、洗い場用防水パン、浴槽、エプロン及び仕切部材で浴室内空間と浴室外空間とに区画し、浴室内空間から浴室外空間へ漏水させないようにしたものがある。この浴室構造（前者）には、浴槽用防水パンを用いない分だけ安価に提供できる。
【０００３】
別の浴室構造としては、浴槽を設置した箇所からの漏水で下階等が被害を受けないようにするために、浴槽用防水パンを併用した従来構造（後者）がある（特許文献１）。
【特許文献１】特開平２−１２８７２４号公報
【０００４】
後者は、防水パンに洗い場部と浴槽載置部を区画形成し、浴槽載置部に浴槽を設置し、浴槽の縁部に設けた仕切部材用載置部に浴槽側上方仕切部材を載置すると共に浴槽の仕切部材用載置部の裏側と浴槽載置部との間に浴槽側下方仕切部材を配置し、更に洗い場部の縁部に設けた仕切部材用載置部に洗い場側仕切部材を載置し、浴槽側上方仕切部材及び浴槽側下方仕切部材と洗い場側仕切部材とを突き合わることで、洗い場及び浴槽裏側からから外部へ漏水しないようにしてある。更に、後者は、洗い場部及び浴槽載置部の境界部と浴槽の上縁部との間にエプロンを配置し、洗い場から浴槽載置部を見えないようにして美観を得ている。このエプロンは、小口面側が、浴槽側下方仕切壁と洗い場側仕切部材との突き合わせ箇所の近辺に対向している。
【発明の開示】
【発明が解決しようとする課題】
【０００５】
ところで、後者は、浴槽載置部のない構造に仕様変更することができない。何故ならば、後者から浴槽載置部の部分及び浴槽側下方仕切壁を撤去をしたとき、エプロンの小口面と洗い場側仕切部材との対向する箇所で止水を完全にすることが困難なため、洗い場側から浴槽設置側へ漏水する危険があるためである。
【０００６】
また、前者は、浴槽用防水パンを用いることを考慮していないため、浴槽用防水パンを用いる構造に仕様変更することは予定されていない。
【０００７】
そこで、本発明は、前者を構築できる部材を用いて、浴槽用防水パンを用いる仕様にも変更できるようにすることで、部材を共通化して、結果的にコストの低減を図ることができる浴室構造を提供せんとするものである。
【課題を解決するための手段】
【０００８】
浴槽用防水パンを用いない浴室構造を構築する部材を利用して、浴槽用防水パン、浴槽及びエプロンで囲まれる囲繞空間を浴槽裏側に形成する浴室構造を得ることができるようにするために請求項１記載の本発明が採用した手段は、配置した洗い場用防水パンと浴槽とを、覆蓋できる作業口を有するエプロンで水密に接合し、洗い場用防水パン及び浴槽に設けた仕切部材用載置部に、洗い場側仕切部材と浴槽側仕切部材とを載置し、エプロンの洗い場側となる手前面の両側に、隣接する洗い場側仕切部材を水密に当接し、洗い場用防水パン、浴槽、エプロン及び仕切部材で浴室内空間と浴室外空間とに区画した浴室構造において、底壁と底壁の四周から立設する起立周壁とを一体に成形した浴槽用防水パンを浴室外空間に配置して、浴槽用防水パンの上に前記浴槽を設置し、浴槽用防水パンの洗い場寄りとなる手前側を除く三方の起立周壁と浴槽の仕切部材用載置部の裏面側又は仕切部材用載置部の近辺との間に、上記三方に壁面部を有する三方壁部材を配設して、浴槽用防水パンの三方の起立周壁と三方壁部材とを水密に接合すると共に、浴槽用防水パンの上記手前側の起立周壁と三方壁部材とで接合用口部を形成し、浴槽用防水パンの上記手前側の起立周壁及び三方壁部材の該接合用口部を形成する縁部を、洗い場用防水パン、浴槽及びエプロンの浴室外空間に面する部分の対応する箇所に水密に接合して、浴槽用防水パン、三方壁部材、浴槽及びエプロンで囲まれる囲繞空間を浴槽裏側に形成したことを特徴とする浴室構造である。
【０００９】
前記接合用口部を形成する縁部の接合が簡単に行なえるように請求項２記載の本発明が採用した手段は、前記洗い場用防水パンの浴室外空間へ延設した接合片に、前記浴槽用防水パンの手前側の起立周壁の縁部を接合し、前記エプロンの浴室外空間へ延設した接合片に、前記三方壁部材の三方の壁面部のうちの対峙する両方の壁面部の手前側の縁部を接合し、前記浴槽の浴室外空間に面する箇所に、前記三方壁部材の三方の壁面部の上方の縁部を接合した請求項１記載の浴室構造である。
【００１０】
洗い場用防水パンと浴槽用防水パンとエプロンとの位置決めを正確に行えるように請求項３記載の本発明が採用した手段は、前記洗い場用防水パンの浴室外空間へ延設した接合片、前記浴槽用防水パンの手前側の起立周壁の縁部に設けた接合片、及び、前記エプロンの下方側に設けた接合片の三つをボルト・ナットからなる連結具で一緒に連結した請求項２記載の浴室構造である。
【００１１】
嵩張らない部材を用いて三方壁部材を形成できるように請求項４記載の本発明が採用した手段は、前記三方壁部材の三方の壁面部が、独立成形されている壁パネルどうしを水密に連結して形成されている請求項１、２又は３記載の浴室構造である。
【００１２】
嵩張らない部材を用いて三方壁部材を形成できるように請求項５記載の本発明が採用した手段は、前記三方壁部材の三方の壁面部が、折曲げ自在な板材をコ字状に折り曲げて形成されている請求項１、２又は３記載の浴室構造である。
【００１３】
嵩張らない部材を用いて三方壁部材を形成できるように請求項６記載の本発明が採用した手段は、前記三方壁部材の三方の壁面部が、可撓性シートをコ字状に折り曲げて形成されている請求項１、２又は３記載の浴室構造である。
【００１４】
嵩張らない部材を用いて三方壁部材を形成できるように請求項７記載の本発明が採用した手段は、前記三方壁部材の三方の壁面部が、前記浴槽用防水パン及び前記浴槽と別体の複数本の支持ポストと複数枚の面材とを用い、前記浴槽用防水パンの起立周壁と浴槽との間に支持ポストを配設すると共に隣接する支持ポストの間に面材を配設し、隣接する面材どうしを支持ポストを介して水密に接合して形成されている請求項１、２又は３記載の浴室構造である。面材としては、合成樹脂板や金属板からなる板材又は合成樹脂製のシート材が選択される。
【発明の効果】
【００１５】
請求項１記載の本発明に係る浴室構造は、配置した洗い場用防水パンと浴槽とを、覆蓋できる作業口を有するエプロンで水密に接合し、洗い場用防水パン及び浴槽に設けた仕切部材用載置部に、洗い場側仕切部材と浴槽側仕切部材とを載置し、エプロンの洗い場側となる手前面の両側に、隣接する洗い場側仕切部材を水密に当接し、洗い場用防水パン、浴槽、エプロン及び仕切部材で浴室内空間と浴室外空間とに区画した構造を採用することで、浴槽用防水パンを用いない浴室構造を流用することが可能となり、浴槽用防水パンを用いない浴室構造を構築する部材を利用して、浴槽用防水パン、三方壁部材、浴槽及びエプロンで囲まれる囲繞空間を浴槽裏側に形成する浴室構造を得ることができる。その結果、本発明に係る浴室構造は、浴槽用防水パンを用いない浴室構造を構築する部材と共通化することで、コストの低減を図ることができる。
【００１６】
請求項２記載の本発明に係る浴室構造は、洗い場用防水パン、浴槽及びエプロンの浴室外空間に面する部分のうち浴槽用防水パンの接合用口部を形成する縁部と隣接する箇所に、該縁部を接合するので、該縁部の接合が簡単にできる。
【００１７】
請求項３記載の本発明に係る浴室構造は、洗い場用防水パンの接合片、浴槽用防水パンの接合片及びエプロンの接合片の三つをボルト・ナットからなる連結具で一緒に連結するためね洗い場用防水パンと浴槽用防水パンとエプロンとの位置決めを正確に行えることができる。
【００１８】
請求項４記載の本発明に係る浴室構造は、独立成形されている壁パネルを水密に連結して三方壁部材を形成しているため、浴室を組み立て施工する前に嵩張らないようにして壁パネルを搬送することが可能となり、管理コストや搬送コストを低減できると共に、現場における搬入を楽にできる。
【００１９】
請求項５記載の本発明に係る浴室構造は、折曲げ自在な板材をコ字状に折り曲げて三方壁部材を形成しているため、浴室を組み立て施工する前に嵩張らないように折り畳んで板材を搬送することが可能となり、管理コストや搬送コストを低減できると共に、現場における搬入を楽にできる。
【００２０】
請求項６記載の本発明に係る浴室構造は、可撓性シートをコ字状に折り曲げ三方壁部材を形成しているため、浴室を組み立て施工する前に嵩張らないように折り畳んで可撓性シートを搬送することが可能となり、管理コストや搬送コストを低減できると共に、現場における搬入を楽にできる。
【００２１】
請求項７記載の本発明が採用した手段は、前記三方壁部材が、浴槽用防水パン及び浴槽と別体の複数本の支持ポストと複数枚の面材とを用いて形成しているため、浴室を組み立て施工する前に嵩張らないようにして複数本の支持ポストと複数枚の面材を搬送することが可能となり、管理コストや搬送コストを低減できると共に、現場における搬入を楽にできる。
【発明を実施するための最良の形態】
【００２２】
本発明に係る浴室構造（以下、「本発明浴室構造」と言う。）を図面に示す実施形態に基づいて説明する。
【００２３】
（第１の実施の形態）
図１乃至図１４は本発明浴室構造の第１の実施の形態を示すものであり、図１は完成した浴室１の左側断面図であって図８（Ｂ）のハーハ線の位置で断面視したものであり、図２は図１のイ部を拡大した左側断面図、図３は図１のロ部を拡大した左側断面図、図４は浴槽用防水パン３と、三方壁部材４０を形成する壁パネル４１とを分離して示す斜視図、図５は三方壁部材４０を形成する壁パネル４１，４１どうしの接合状態を拡大して示す平面断面図、図６は三方壁部材４０を形成する壁パネル４１と浴槽用防水パン３との接合状態を拡大して示す側面断面図、図７は浴槽２、接合した浴槽用防水パン３及び三方壁部材４０、洗い場用防水パン４並びにエプロン５を分離して示す斜視図、図８（Ａ）は浴槽２、三方壁部材４０、浴槽用防水パン３、洗い場用防水パン４及びエプロン５を接合した状態を示す斜視図、図８（Ｂ）は浴槽２及び洗い場用防水パン４の仕切部材用載置部２ｂ，２ｃ，２ｄ，４ｃに壁パネルからなる仕切部材６Ａ−１〜６Ａ−３を載置した状態を示す斜視図、図９は浴槽用防水パン３に載置した三方壁部材４０、洗い場用防水パン４並びにエプロン５を分離した状態の要部を拡大して示す斜視図、図１０は浴槽用防水パン３の接合部３ｅ−１と洗い場用防水パン４との接合部４ｅ−３を合わせた状態の要部を拡大して示す斜視図、図１１は浴槽用防水パン３、三方壁部材４０、洗い場用防水パン４及びエプロン５をボルト１３及び止付具３０で接合している途中の状態の要部を拡大して示す斜視図、図１２（Ａ）は浴槽２を一部切欠いて止水状態を示す平面図であって切欠いた断面部分は図２及び図３のニーニ線で断面視したものであり、図１２（Ｂ）は同図（Ａ）から止水材２６，２７，３３を無くした状態を示す平面図、図１３（Ａ）〜（Ｄ）は三方壁部材４０と浴槽２との接合構造の別態様を示す斜視図、図１４は洗い場用防水パン４と浴槽用防水パン３とエプロン５とを接合する構造の別態様を拡大して示す左側断面図であって、同図の（Ａ）は洗い場用防水パン４，浴槽用防水パン３及びエプロン５を分離した状態を示し、同図の（Ｂ）はこれらを接合した状態を示すものである。図１５（Ａ）（Ｂ）は浴槽用防水パン３及び三方壁部材４０を用いない浴室構造を拡大して示すものであって、（Ａ）は図１のイ部に対応する部分の左側断面図、（Ｂ）は図１のロ部に対応する部分の左側断面図、同図（Ｃ）は同図（Ａ）のホ部を拡大した左側断面図、同図（Ｄ）及び（Ｅ）は洗い場用防水パン４とエプロン５との接合に用いる係止金具付きナツト３５の断面図及び平面図である。なお、図中における「前」「後」「左」及び「右」は各図に示すとおりである。以下の説明において、三方とは、左右の両方及び後方を指す。
【００２４】
本実施の形態に係る本発明浴室構造１は、図１に示す如く、後方に配置した浴槽２、浴槽２の下方に配置した浴槽用防水パン３、浴槽２と浴槽用防水パン３との間に配置した三方壁部材４０、前方に配置した洗い場用防水パン４、浴槽２と洗い場用防水パン４との間に配置したエプロン５、浴槽２の載置部及び洗い場用防水パン４の載置部に載置した仕切部材６、浴槽２及び洗い場用防水パン４を支持する架台７及び仕切部材６の四周上端に載置するようにして配置した天井部材８を備えている。架台７は、浴槽２を支持する支持部７ａ及び洗い場用防水パン４を支持する支持部７ｂを備え、設置する浴槽２ａと洗い場用防水パン４の相対的な位置関係を決定している。天井部材８は、立設する仕切部材６の上端に配設されている。
【００２５】
本発明浴室構造１の特徴とするところは、図１及び図７に示す如く、底壁３ａと底壁３ａの四周から立設する起立周壁３ｂ，３ｃ，３ｄ，３ｅ（図７参照）とを一体に成形した浴槽用防水パン３を浴室外空間Ｑに配置して、浴槽用防水パン３の上に浴槽２を設置し、浴槽用防水パン３の洗い場寄りとなる手前側を除く三方（左右両方及び後方）の起立周壁３ｂ，３ｃ，３ｄと浴槽２の仕切部材用載置部２ｂ，２ｃ，２ｄの裏面側又は仕切部材用載置部２ｂ，２ｃ，２ｄの近辺との間に、上記三方に壁面部４０ｂ，４０ｃ，４０ｄを有する三方壁部材４０を配設して、浴槽用防水パン３の三方の起立周壁３ｂ，３ｃ，３ｄと三方壁部材４０の三方下方の縁部４０ｆとを水密に接合すると共に、浴槽用防水パン３の手前側の起立周壁３ｅと三方壁部材４０とで接合用口部４２（図７参照）を形成し、接合用口部４２を形成する浴槽用防水パン３の手前側の起立周壁３ｅの縁部（接合片３ｅ−１）及び三方壁部材４０の三方上方の縁部４０ｅと手前両側（前方の左右両方）の縁部（接合領域４０ｂ−１，４０ｃ−１）を、洗い場用防水パン４、エプロン５及び浴槽２の浴室外空間Ｑに面する部分の対応する箇所に止水材９，１０，３３，３９，４７（図１０参照）等を用いて水密に接合して、浴槽用防水パン３、三方壁部材４０、浴槽２及びエプロン５で水密状態で囲まれる囲繞空間Ｒを浴槽裏側に形成したことである。
【００２６】
前記浴槽２は、図７、図２及び図３に示す如く、繊維強化プラスチック（ＦＲＰ）やステンレススチール等の素材から成形され、底部に設けた脚部２ａと、三方の上方の縁部に設けた仕切部材用載置部２ｂ，２ｃ，２ｄと、一方（前方）の上方の縁部に形成された水平部２ｍ及び前垂部２ｅとを備えている。更に、浴槽２は、図２、図３及び図１２（Ａ）に示す如く、載置部２ｂ，２ｃ，２ｄの上面側周縁に突設した起立片２ｋと、水平部２ｍの下面から下方へ突出して左右方向へ延設した接合部２ｆ（図２参照）と、仕切部材用載置部２ｂ，２ｃ，２ｄの下面側に設けた補強用突片２ｇ、補強用リブ２ｈ及び止水材格納用突片２ｊと、載置部２ｂ，２ｃ，２ｄの下面側に突設した止水材押圧用突条２ｓ（図３参照）と、止水材格納用突片２ｊの内側に適宜間隔毎に設けた楔状突起２ｕとを備え、止水材格納用突片２ｊと補強用突片２ｇとの間に下向き開口の嵌入用凹溝２ｔを形成してある。接合部２ｆ（図２参照）は、エプロン接合用ボルト１９（本例は、蝶ボルトを使用）を左右方向へ適宜間隔毎に螺合できるようになっている。浴槽２は、図７、図２及び図１２（Ａ）（Ｂ）に示す如く、手前の左右両側の各々に、後述するエプロン５の左右の各嵌合用突起部５ａ−４（図７参照）を外嵌するための外嵌部２ｐが設けられている。なお、前記エプロン接合用ボルト１９は、図示は省略しが、浴槽２の接合部２ｆに左右方向へ適宜間隔毎に埋め込んで、接合部２ｆから下方へ突出するように配設し、エプロン接合時にナットを螺着させるようにすることもある。
【００２７】
前記浴槽用防水パン３は、図４に示す如く、ポリプロピレン，ＡＢＳ等の熱可塑性プラスチック材料を射出成形する等して得たものであって、底壁３ａと、底壁３ａの四周から立設する起立周壁３ｂ，３ｃ，３ｄ，３ｅとを一体に成形し、洗い場寄りとなる手前側を除く三方の起立周壁３ｂ，３ｃ，３ｄの上縁部に載置部３ｂ−１，３ｃ−１，３ｄ−１が設けられ、手前側の起立周壁３ｅの上縁部に手前へ突出して左右方向へ延設した接合片３ｅ−１を形成し、接合片３ｅ−１にボルト挿通孔２８を適宜間隔毎に設けてある。浴槽用防水パン３は、底壁３ａの上に前記浴槽２を設置するが、架台７（図１参照）の支持部７ａの上に浴槽脚部２ａを位置させて浴槽２の荷重を架台７で支持させるようにしているので、浴槽２や洗い場用防水パン４に比べて大きな曲げ強度を必要とせず、搬送、浴室構築時の作業に耐える強度が少なくとも有ればよいことになる。
【００２８】
前記浴槽用防水パン３は、図示は省略したが、浴槽２から防水パン３の外側へ延設する排水管や循環管等の配管が挿通する配管用挿通孔を設け、配管用挿通孔と配管との間を止水材等で止水するようにしてある。前記浴槽２の設置は、架台７に設けた連結部（図示省略）に、浴槽用防水パン３を介して浴槽２の脚部２ａを連結して行う。
【００２９】
前記三方壁部材４０は、図４，図５及び図７に示す如く、複数枚（図示の場合は四枚）の独立成形されている壁パネル４１が用いられ、隣接する壁パネル４１どうしをビス又はボルト・ナット等からなる連結具４３（図５参照）と止水材４７，シール４５等を用いて水密に連結して三方に壁面部４０ｂ，４０ｃ，４０ｄ（図７参照）を有する平面コ字状に形成してある。各壁パネル４１は、板部４１ａの周縁に枠部４１ｂが突設され、枠部４１ｂの内側に補強リブ４１ｃ，４１ｃが設けられて、補強リブ４１ｃを枠部４１ｂ及び板部４１ａに接合してある。各壁パネル４１は、合成樹脂素材で板部４１ａ，枠部４１ｂ及び補強リブ４１ｃ，４１ｃを一体成形したものが用いられる。左右両側に配置される壁パネル４１の前後方向寸法と、後方に配置される壁パネル４１の左右方向寸法とは、浴室の大きさにより、同一の場合と異なる場合とがある。
【００３０】
前記三方壁部材４０は、図７及び図３に示す如く、浴槽用防水パン３の載置部３ｂ−１，３ｃ−１，３ｄ−１に、粘着性のある止水材４８を介して三方の下方の縁部４０ｆが載置され、止水材４８（図３参照）で接合されている。三方壁部材４０は、浴槽用防水パン３に対する連結を確実なものとするために、図６に示すように、浴槽用防水パン３の載置部３ｂ−１，３ｃ−１，３ｄ−１にビス又はボルト・ナット等からなる連結具４４を用いて連結し、且つシール４６等で水密に連結することもある。この場合、三方壁部材４０は、三方の下方の縁部４０ｆに位置決め用突片４０ｇを突設し、前記浴槽用防水パン３の載置部３ｂ−１，３ｃ−１，３ｄ−１の各上面に設けた凹溝部３ｇへ嵌入して位置決めして連結してある。連結具４４による連結作業は、連結具４４のねじ込み作業を浴槽用防水パン３の浴槽設置側からできるようにしてあり、浴槽用防水パン３の載置部３ｂ−１，３ｃ−１，３ｄ−１に三方壁部材４０を載置した後に行うことができるようになっている。
【００３１】
前記浴槽用防水パン３及び三方壁部材４０は、図７に示す如く、浴槽用防水パン３の手前側の起立周壁３ｅと三方壁部材４０の縁部（手前両側の縁部となる接合領域４０ｂ−１，４０ｃ−１及び三方上方の縁部４０ｅ）とで、上方の接合用口部４２ａと前方の接合用口部４２ｂとからなる接合用口部４２を形成してある。前記三方壁部材４０は、手前両側（前方の左右両方）の縁部に接合領域４０ｂ−１，４０ｃ−１を形成し、各接合領域４０ｂ−１，４０ｃ−１にビス等の止付具３０（図１１参照）を止め付けるためのビス孔等の止付孔を形成した止付部２２を適宜上下間隔毎に設けてある。
【００３２】
前記三方壁部材４０と浴槽２との接合は、図３に示す如く、浴槽２の下向き開口の嵌入用凹溝２ｔへ止水材３３を介して嵌入する三方壁部材４０の三方上方の縁部４０ｅを、楔状突起２ｕで補強用突片２ｇへ向かって押圧すると共に、止水材押圧用突条２ｓで止水材３３を局部的に押圧して三方壁部材４０の三方上方の縁部４０ｅの上面へ圧着させてある。なお、前記三方壁部材４０と浴槽２との接合は、図１３（Ａ）乃至（Ｂ）に示す別態様を採用することも可能である。図１３（Ａ）に示す接合の態様は、浴槽２の下向き開口の嵌入用凹溝２ｔへ嵌入する三方壁部材４０の三方上方の縁部４０ｅを、楔状突起２ｕで補強用突片２ｇへ向かって押圧して、補強用突片２ｇに止水材３３を介して水密に圧着してある。図１３（Ｂ）に示す接合の態様は、三方壁部材４０の三方上方の縁部４０ｅに止水材保持用凹溝４０ｅ−１を設け、止水材保持用凹溝４０ｅ−１に嵌入した止水材３３に浴槽２の下向きの補強用突片２ｇを食い込ませるようにして止水してある（なお、同図は止水材３３に補強用突片２ｇを食い込ませる前の状態を示している）。図１３（Ｃ）に示す接合の態様は、三方壁部材４０の三方上方の縁部４０ｅを、粘着性のある止水材３３を介して浴槽２の下向きの補強用突片２ｇに圧着して止水してある。図１３（Ｄ）に示す接合の態様は、三方壁部材４０の三方上方の縁部４０ｅを、粘着性のある止水材３３を介して浴槽２の上向きの起立片２ｋに圧着して止水してある。
【００３３】
前記洗い場用防水パン４は、図７に示す如く、繊維強化プラスチック（ＦＲＰ）やステンレススチール等の材料から成形され、床部４ａと、床部４ａの三方の縁部に形成した仕切部材用載置部４ｂ，４ｃ，４ｄと、一方（後方）の縁部に形成した接合部４ｅと、トラップを内蔵した排水口部材４ｇとを備えている。一方側（後方側）の接合部４ｅは、図２及び図９に示す如く、床部４ａに連接して起立する起立壁４ｅ−１と、起立壁４ｅ−１に連接して後方へ突設する第１接合片４ｅ−２と、第１接合片４ｅ−２に連接して更に後方へ段落ちして突設する第２接合片４ｅ−３とを備え、起立壁４ｅ−１，第１接合片４ｅ−２及び第２接合片４ｅ−３を左右方向へ延設してある。第１接合片４ｅ−２及び第２接合片４ｅ−３は、図７及び図９に示す如く、その左右両端側の各々から連接片４ｆが起立して延設され、各連接片４ｆを左右の仕切部材用載置部４ｂ，４ｃの起立片４ｂ−１，４ｃ−１に連接してある。各連接片４ｆは、後述する止水材９，１０（図９参照）を取り付けて、洗い場用防水パン４と三方壁部材４０との間の止水と、洗い場用防水パン４とエプロン５との間の止水を確保するようにしてある。第２接合片４ｅ−３は、図９及び図２に示す如く、その下面にナット１１が取付具１２を用いて適宜間隔毎に配設されると共に、各ナット１１に対応する位置にボルト挿通孔２３が穿設されている。
【００３４】
前記エプロン５は、図７に示す如く、繊維強化プラスチック（ＦＲＰ）から成形し、又はポリブチレンテレフタレート（ＰＢＴ）樹脂やＡＢＳ等のプラスチック材料を射出成形する等して得た本体部５ａと、ポリプロピレン，ＡＢＳ等のプラスチック材料を射出成形する等して得た蓋部５ｂ及び化粧カバー５ｃとを備えている。本体部５ａは、図２，図７及び図９に示す如く、作業口５ａ−６を開設した主仕切部５ａ−１と、主仕切部５ａ−１の左右両縁から前方へ突設する袖部５ａ−２，５ａ−２と、主仕切部５ａ−１の上縁から前方へ突設して左右の袖部５ａ−２，５ａ−２の間に設けた化粧カバー収納用突出部５ａ−３と、左右の袖部５ａ−２，５ａ−２の各上方に突設した嵌合用突起部５ａ−４，５ａ−４と、主仕切部５ａ−１の下縁から後方へ突設した下方接合片５ａ−５（図２及び図９参照）と、左右の袖部５ａ−２，５ａ−２及び嵌合用突起部５ａ−４，５ａ−４の各々から後方へ連続的に突設した側方接合片５ａ−７，５ａ−７と、化粧カバー収納用突出部５ａ−３の上面から上方へ突設して左右の嵌合用突起部５ａ−４，５ａ−４の間に設けた止水片５ａ−８とを備えている。下方接合片５ａ−５は、図９に示す如く、前記洗い場用防水パン４の第２接合片４ｅ−３の下面に配設した各ナット１１に対応する位置に、ボルト挿通孔２４が穿設されている。また、左右の側方接合片５ａ−７，５ａ−７には、図７及び図９に示す如く、前記浴槽用防水パン３の左右の接合片３ｂ−１，３ｃ−１に設けた各止付部２２に対応するように、止付用挿通孔２５を設けてある。更に、化粧カバー収納用突出部５ａ−３は、その上面に、前記エプロン接合用ボルト１９（図２参照）が挿通するボルト挿通孔３８が穿設されている。
【００３５】
前記エプロン５の蓋部５ｂは、図２に示す如く、本体部５ａの作業口５ａ−６を覆蓋するものであって、本体部５ａに止水材１５を介してビス等の止付具１４で着脱自在に取付られている。前記化粧カバー５ｃは、本体部５ａの主仕切部５ａ−１を覆うように配置されて、左右の袖部５ａ−２，５ａ−２と上方の化粧カバー収納用突出部５ａ−３とで囲まれるようにして納まり、後面側に複数個取着した係止片１７を仕切部５ａ−１に設けた係止部１６に係止させると共に、下方の接合片５ｃ−１を主仕切部５ａ−１にビス等の止付具１８で接合して着脱自在となっている。
【００３６】
前記仕切部材６は、図８に示す如く、壁パネル６Ａ（６Ａ−１，６Ａ−２，６Ａ−３）や入退室用扉（図示略）等から構成され、浴槽２の仕切部材用載置部２ｂ，２ｃ，２ｄや洗い場用防水パン４の仕切部材用載置部４ｂ，４ｃ，４ｄに載置して起立した状態で設けられる。
【００３７】
前記浴槽２、浴槽用防水パン３、三方壁部材４０、洗い場用防水パン４及びエプロン５は、所定位置に止水材が配置されて接合される。浴槽２とエプロン５の間の止水は、図２及び図１２（Ａ）に示す如く、浴槽２の左右方向に延びる水平部２ｍの下面、前垂部２ｅ、接合部２ｆ及びエプロン５の化粧カバー収納用突出部５ａ−３の上面とで囲まれるように止水材２７を配置して、止水材２７へエプロン５の止水片５ａ−８を食い込ませるようにしてある。止水材２７は、浴槽２の水平部２ｍの下面、前垂部２ｅ及び接合部２ｆで囲まれる箇所へ予め挿着する等して配置しておくか、または、エプロン５の化粧カバー収納用突出部５ａ−３の上面に貼り付ける等して配置しておくことができる（図１１参照）。      
【００３８】
前記三方壁部材４０とエプロン５の間の止水は、図９及び図１０に示す如く、三方壁部材４０の手前両側（前方の左右両方）の縁部に形成した接合領域４０ｂ−１，４０ｃ−１の上下端の間の後方寄りに止水材４７を配置すると共に、接合領域４０ｂ−１，４０ｃ−１の下端側各々に止水材３９（図１０参照）を配置して、三方壁部材４０の左右の接合領域４０ｂ−１，４０ｃ−１とエプロン５の左右の側方接合片５ａ−７，５ａ−７（図１１参照）との間を止水してある。
【００３９】
前記浴槽用防水パン３と洗い場用防水パン４との間の止水は、図９及び図１０に示す如く、洗い場用防水パン４の水平な第２接合片４ｅ−３の上面から左右の起立した連接片４ｆ，４ｆへ至る箇所に止水材１０を配置して、洗い場用防水パン４の第２接合片４ｅ−３及び左右の起立した連接片４ｆ，４ｆと、浴槽用防水パン３の接合片３ｅ−１及び三方壁部材４０の左右の接合領域４０ｂ−１，４０ｃ−１の下端寄りとの間を止水してある。
【００４０】
前記洗い場用防水パン４とエプロン５との間の止水は、図９及び図１１に示す如く、洗い場用防水パン４の水平な第１接合片４ｅ−２の上面から左右両側の起立した連接片４ｆ，４ｆへ至る箇所に止水材９を配置して、洗い場用防水パン４の第１接合片４ｅ−２及び左右の起立した連接片４ｆ，４ｆと、エプロン５の下方接合片５ａ−５の段部及び左右の側方接合片５ａ−７，５ａ−７（図７参照）の下方寄りとの間を止水してある。
【００４１】
前記浴槽２と、三方壁部材４０及びエプロン５との間の止水は、図１１及び図１２（Ａ）（Ｂ）に示す如く、エプロン５の左右の各嵌合用突起部５ａ−４の上面から左右の各袖部５ａ−２の手前面の下方端へ至り止水材２６を貼着する（図１１参照）等して配置すると共に、三方壁部材４０の三方の上縁部４０ｅ（図７参照）に止水材３３を貼着する等して配置して、浴槽２の仕切部材用載置部２ｂ，２ｃ，２ｄ及び左右の外嵌部２ｐ，２ｐの各下面と、三方壁部材４０の上縁部４０ｅ及びエプロン５の左右の嵌合用突起部５ａ−４，５ａ−４の上面との間を止水してある。止水材２６と止水材３３との境界部は、図１２（Ａ）に示す如く、両者を重ね合わせて止水を完全なものとしてある。
【００４２】
前記エプロン５と仕切部材６Ａ−１との間の止水は、図８及び図２に示す如く、エプロン５の左右の各袖部５ａ−２の手前面に止水材２６を貼着する等して配置して、エプロン５の各袖部５ａ−２の手前面と、洗い場用防水パン４の仕切部材用載置部４ｃに載置した壁パネルからなる仕切部材６Ａ−１の側面との突き合わせ部を止水してある。なお、図示は省略したが、洗い場用防水パン４の左側の仕切部材用載置部４ｂに載置した壁パネル又は入退室用扉等から仕切部材６は、同様にして、エプロン５の各袖部５ａ−２の手前面との突き合わせ部を止水材２６で止水してある。
【００４３】
前記浴槽２、浴槽用防水パン３、三方壁部材４０、洗い場用防水パン４及びエプロン５の接合（連結）は、次の通りである。先ず、所定位置に配設した架台７の上に浴槽用防水パン３と洗い場用防水パン４とを設置する。設置された浴槽用防水パン３と洗い場用防水パン４との接合は、図９及び図１０に示すように、洗い場用防水パン４の水平な第２接合片４ｅ−３の上に、浴槽用防水パン３の手前の水平な接合片３ｅ−１を止水材１０を介して重ね合わせることで、洗い場用防水パン４の左右の起立した連接片４ｆ，４ｆに浴槽用防水パン３の左右の接合片３ｂ−１，３ｃ−１を止水材１０を介して同時に重ね合わせられる。
【００４４】
次に、図４に示す複数枚（図示の場合は四枚）の壁パネル４１を図７に示すように平面コ字状に連結して三方壁部材４０の三方の壁面部４０ｂ，４０ｃ，４０ｄを形成し、浴槽用防水パン３の載置部３ｂ−１，３ｃ−１，３ｄ−１に三方壁部材４０を載置する。浴槽用防水パン３と三方壁部材４０との接合は、浴槽用防水パン３の載置部３ｂ−１，３ｃ−１，３ｄ−１に、図３に示すように粘着性のある止水材４８を介して三方下方の縁部４０ｆを載置して接合するか、または、図６に示すように浴槽用防水パン３の載置部３ｂ−１，３ｃ−１，３ｄ−１にビス又はボルト・ナット等からなる連結具４４を用いて連結すると共にシール４６等で水密に接合する。
【００４５】
続けて、浴槽用防水パン３と洗い場用防水パン４との境界部の近辺にエプロン５を配置する。洗い場用防水パン４とエプロン５と三方壁部材４０との接合は、図９、図１０，図１１及び図２に示すように、洗い場用防水パン４の水平な第１接合片４ｅ−２の上に、エプロン５の下方接合片５ａ−５を止水材９を介して重ね合わせると共に、三方壁部材４０の左右の接合領域４０ｂ−１，４０ｃ−１に、エプロン５の左右の側方接合片５ａ−７，５ａ−７を止水材４７を介して重ね合わせる。このとき、エプロン５の左右の側方接合片５ａ−７，５ａ−７と下方接合片５ａ−５との境界部は、三方壁部材４０の左右の各接合領域４０ｂ−１（４０ｃ−１）と浴槽用防水パン３の接合片３ｅ−１との境界部に止水材３９を介して重ね合わせられる。なお、止水材３９は、止水材９と止水材４７に跨がって配置され、止水を完全なものとしている（図１０参照）。
【００４６】
各止水材を介して要部を重ね合わせた浴槽用防水パン３、三方壁部材４０、洗い場用防水パン４及びエプロン５は、図１１及び図２に示す如く、上方からボルト１３を、座金３１、エプロン５の下方接合片５ａ−５のボルト挿通孔２４、リング状の止水材２９（図１０参照）、浴槽用防水パン３の手前の接合片３ｅ−１のボルト挿通孔２８（図９参照）及び洗い場用防水パン４の第２接合片４ｅ−３のボルト挿通孔２３（図９参照）へ挿入して、第２接合片４ｅ−３の下面側に配置されているナット１１（図９及び図２参照）に螺着して緊締し、エプロン５の下方接合片５ａ−５と浴槽用防水パン３の手前の接合片３ｅ−１と洗い場用防水パン４の第２接合片４ｅ−３とを止水材９，１０を介して水密に接合（連結）する。ボルト１３の螺着と並行して、図１１及び図２に示す如く、ビス等の止付具３０を、リング状の止水材３２及びエプロン５の止付用挿通孔２５へ挿通して三方壁部材４０の止付部２２（図１０参照）へ螺着する等して止め付けて、エプロン５の左右の側方接合片５ａ−７，５ａ−７を三方壁部材４０の手前両側（前方の左右両方）縁部（接合領域）４０ｂ−１，４０ｃ−１へ接合（連結）する。
【００４７】
更に続けて、浴槽用防水パン３の上に浴槽２を設置し、図２に示すように複数本のエプロン接合用ボルト１９をエプロン５の上方に設けられているボルト挿通孔３８を挿通して浴槽２の接合部２ｆへ螺着して、浴槽２及びエプロン５とを接合する。ボルト１９の止め付け作業は、エプロン５の開口した作業口５ａ−６，５ａ−６を介して浴室内空間Ｐ側から行うことができる。なお、エプロン接合用ボルト１９が浴槽２の接合部２ｆに埋め込まれて接合部２ｆから下方へ突出するように配設されているときには、浴槽用防水パン３の上に浴槽２を設置するときに、エプロン接合用ボルト１９がエプロン５のボルト挿通孔３８を挿通して化粧カバー収納用突出部５ａ−３の下面側へ突出することになるので、突出したボルト１９にナット（図示略）を螺着して緊締することで、浴槽２及びエプロン５が接合されることになる。このナットの止め付け作業は、エプロン５の開口した作業口５ａ−６，５ａ−６を介して浴室内空間Ｐ側から行うことができる。
【００４８】
このとき三方壁部材４０とエプロン５と浴槽２とは、図２，図３及び図１１に示す如く、三方壁部材４０が載置された浴槽用防水パン３の上に浴槽２を設置することで、浴槽２の載置部２ｂ，２ｃ，２ｄの下面に、三方壁部材４０の三方上方の縁部４０ｅを止水材３３を介して当接させる（図３参照）と共に、浴槽２の左右の外嵌部２ｐ，２ｐの各下面に、エプロン５の左右の嵌合用突起部５ａ−４，５ａ−４の各上面を止水材２６を介して当接させ（図１２参照）、更に、浴槽２の手前の水平部２ｍの下面に設けた止水材２７に、エプロン５の止水片５ａ−８を食い込ませる（図２参照）。
【００４９】
なお、ボルト１３及び止付具３０の増し締めや調整の作業が必要ならば、エプロン５の開口した作業口５ａ−６，５ａ−６を介して浴室内空間Ｐ側から行うことができる。エプロン５は、ナット２１の止め付け作業等が完了したならば、各作業口５ａ−６を蓋部５ｂで止水材１５を介して覆蓋される。
【００５０】
最後に、仕切部材６を建て込む。建て込みは、図８に示す如く、浴槽２の仕切部材用載置部２ｂ，２ｃ，２ｄ及び洗い場用防水パン４の仕切部材用載置部４ｂ，４ｃ，４ｄに、壁パネル６Ａ（６Ａ−１〜６Ａ−３）や入退室用扉（図示略）等から構成される仕切部材６を起立状態で載置して行われる。洗い場用防水パン４の仕切部材用載置部４ｂ，４ｃに載置した壁パネル６Ａ−１や入退室用扉（図示略）等から構成される仕切部材６は、エプロン５の左右の各袖部５ａ−２の手前面に止水材２６を介して水密に接合される。浴槽２及び洗い場用防水パン４と仕切部材６との間の止水は、通常行われるコーキング材充填で行われる。
【００５１】
本発明浴室構造１は、上述の如く前記浴槽２、浴槽用防水パン３、三方壁部材４０、洗い場用防水パン４エプロン５及び仕切部材６（６Ａ−１〜６Ａ−３）が止水状態で接合されて、図１に示す如く、浴槽２、洗い場用防水パン４、エプロン５及び仕切部材６（６Ａ−１）で囲まれる浴室内空間Ｐと囲まれない浴室外空間Ｑとに区画されると共に、浴室外空間Ｑに、浴槽２、浴槽用防水パン３、三方壁部材４０及びエプロン５で水密に囲繞される囲繞空間Ｒが形成される。囲繞空間Ｒは、配管から漏れる等した水が飛散しても、浴槽２、浴槽用防水パン３、三方壁部材４０及びエプロン５で受け止められ、浴槽用防水パン３の内側に連通する排水管（図示省略）から外部へ排出れるため、囲繞空間Ｒ以外の浴室外空間Ｑの部分へ漏水することは決してない。
【００５２】
本発明浴室構造１を浴槽用防水パン３を用いない浴室構造に転用する場合には、図１５に示す如く、架台７の上に配置した後方の浴槽２と前方の洗い場用防水パン４をエプロン５で接合する。洗い場用防水パン４とエプロン５とは、洗い場用防水パン４の水平な第１接合片４ｅ−２の上にエプロン５の下方接合片５ａ−５を止水材９を介して重ね合わせる。浴槽２とエプロン５は、図２及び図１５（Ａ）に示す如く、浴槽２の左右方向に延びる水平部２ｍの下面、前垂部２ｅ、接合部２ｆ及びエプロン５の化粧カバー収納用突出部５ａ−３の上面とで囲まれるように止水材２７を配置して、止水材２７へエプロン５の止水片５ａ−８を食い込ませて止水する。洗い場用防水パン４の水平な第２接合片４ｅ−３とエプロン５の下方接合片５ａ−５とをボルト１３で締結するときには、両者の間隙が大きいため、デスタント３４とナット１１を取付具１２で一体化した係止金具３５を、洗い場用防水パン４の水平な第２接合片４ｅ−３に係止し、ナット１１にボルト１３を締結して止水材９を圧着する。
【００５３】
本発明浴室構造１は、設置した洗い場用防水パン４と浴槽２とを、覆蓋できる作業口５ａ−６を有するエプロン５で水密に接合し、洗い場用防水パン４及び浴槽２の各縁部に設けた仕切部材用載置部４ｂ，４ｃ，４ｄ（２ｂ，２ｃ，２ｄ）に壁パネル等の仕切部材６Ａ１〜６Ａ３を載置し、エプロン５の洗い場側となる手前面の両側の袖部５ａ−２，５ａ−２に仕切部材６Ａ−１や入退室用扉（図示略）を水密に当接し、洗い場用防水パン４、浴槽２、エプロン５及び仕切部材６で浴室内空間Ｐと浴室外空間Ｑとに区画した構造を採用することで、浴槽用防水パン３を用いない浴室構造（図１５参照）を流用することが可能となり、浴槽用防水パン３を用いない浴室構造を構築する部材を利用して、図１に示す如く、浴槽用防水パン３、三方壁部材４０、浴槽２及びエプロン５で囲まれる囲繞空間Ｒを浴槽２の裏側に形成する浴室構造を得ることができる。その結果、本発明浴室構造１は、浴槽用防水パン３を用いない浴室構造を構築する部材と共通化することで、コストの低減を図ることができる。
【００５４】
本実施の形態に係る本発明浴室構造は、独立成形されている複数枚の壁パネル４１を水密に連結して三方壁部材４０の三方の壁面部４０ｂ，４０ｃ，４０ｄを形成しているため、嵩張らないようにして現場へ壁パネル４１を搬入することが可能となり、管理コストや搬送コストを低減できると共に、現場における搬入を楽にできる。
【００５５】
前記浴槽用防水パン３、洗い場用防水パン４及びエプロン５の接合構造は、図１１に示す如く、上方からボルト１３を挿通して洗い場用防水パン４の第２接合片４ｅ−３の下面側に配置されているナット１１（図９及び図２参照）に螺着する構造に限定されるものではなく、図１４の（Ａ）（Ｂ）に示す別態様の接合構造に変更することも可能である。この別態様の接合構造は、洗い場用防水パン４の第２接合片４ｅ−３に設けられた複数個のボルト挿通孔２３へ下方から挿通した各ボルト１３をナット１０２（本例は座付きナット）で螺着緊締して、洗い場用防水パン４の第２接合片４ｅ−３に複数本のボルト１３を適宜間隔毎に予め立設させておき、先ず洗い場用防水パン４に浴槽用防水パン３を接合するときに、浴槽用防水パン３の接合片３ｅ−１に設けられている複数個のボルト挿通孔２８に各ボルト１３を挿通させた後に、各ボルト１３にリング状の止水材１０１及び平座金１００を介してナット１０３を螺着することで、洗い場用防水パン４の第２接合片４ｅ−３に浴槽用防水パン３の接合片３ｅ−１を複数組のボルト１３及びナット１０３で接合し、次に第２接合片４ｅ−３と接合片３ｅ−１との接合箇所にエプロン５を接合するときに、エプロン５の下方接合片５ａ−５に設けられている複数個の挿通孔２４（図８に示すボルト挿通孔２４よりも大径に開設してナット１０３を挿入できるようにしてある。）に各ボルト１３と共に螺着済みナット１０３を挿通させた後に、各ボルト１３にナット（本例は座付き袋ナット）１０４を螺着することで、洗い場用防水パン４と浴槽用防水パン３とエプロン５を接合できる。この接合構造は、浴槽用防水パン３の接合片３ｅ−１のボルト挿通孔２８の開口周縁に止水材１０１を圧着してボルト挿通孔２８を止水することで、囲繞空間Ｒから浴室外空間Ｑへ漏水させないようにしてある。また、この接合構造は、洗い場用防水パン４の第２接合片４ｅ−３に対して浴槽用防水パン３の接合片３ｅ−１及びエプロン５の下方接合片５ａ−５を重ね合わせるときに、洗い場用防水パン４の第２接合片４ｅ−３に予め立設した複数本のボルト１３の各々に、浴槽用防水パン３の各挿通孔２８及びエプロン５の各ボルト挿通孔２４を挿通させるようにしてあるため、三者の相互間の位置決めを確実に行える利点がある。なお、この別態様の接合構造では、洗い場用防水パン４に設けた凹溝部４ｅ−４に止水材１０を保持させ、浴槽用防水パン３の接合片３ｅ−１から下垂した下垂片３ｅ−２を止水材１０へ食い込ませるようにして止水できるようにしてある。
【００５６】
前記止水材９，１０，１５，２６，２７，２９，３２，３３，３９，４７，４８等は、ブチルゴムや発泡した軟質樹脂等からなるテープ状やリング状等のものが用いられる。
【００５７】
（第２の実施の形態）
図１６及び図１７は本発明浴室構造の第２の実施の形態を示すものであり、図１６は浴槽２と止水材３３と三方壁部材５０を構成する壁パネル５１，５２とを分離して示す中間省略した斜視図であり、図１７は浴槽２と三方壁部材５０と浴槽用防水パン３とを接合した状態を示す断面した斜視図である。
【００５８】
本実施の形態において前記第１の実施の形態と大きく相違する点は、三方壁部材５０の三方の壁面部５０ｂ，５０ｃ，５０ｄを形成する壁パネル５１，５２であり、浴槽２，浴槽用防水パン３，洗い場用防水パン４及びエプロン５に関する構成は第１の実施の形態と実質的に同一である。第１の実施の形態と同一の符号は、同一の構成部材等を示している。
【００５９】
前記壁パネル５１は、板部５１ａの外面（浴槽設置側と反対側）に横長の複数本の補強リブ５１ｂを適宜上下間隔を開けて突設し、板部５１ａの上方の縁部に止水材保持用凹溝５１ｃを設けてある。壁パネル５２は、板部５２ａの外面（浴槽設置側と反対側）に横長の複数本の補強リブ５２ｂを適宜上下間隔を開けて突設し、板部５２ａの上方の縁部に止水材保持用凹溝５２ｃを設け、板部５２ａの裏面両側に補強リブ５２ｂの無い接合部５２ａ−１，５２ａ−１を形成すると共に、止水材保持用凹溝５２ｃの両側に接合部５２ｃ−１，５２ｃ−１を切欠き形成してある。壁パネル５１と壁パネル５２との接合は、両パネルの接合面の間に止水材４７を挟持させ、壁パネル５２の接合部５２ａ−１，５２ａ−１の挿通孔５２ａ−２に挿入したビス等からなる連結具４３を、壁パネル５１の補強リブ５１ｂの小口側へ螺着して行う。壁パネル５１，５１と壁パネル５２とを平面コ字状に接合してなる三方壁部材５０は、図１７に示す如く、止水材保持用凹溝５０ｈ（５１ｃ，５２ｃ）に嵌入した止水材３３に浴槽２の下向きの補強用突片２ｇを食い込ませるようにして止水してある。
【００６０】
また、三方壁部材５０は、浴槽用防水パン３の三方の載置部３ｂ−１（図４参照），３ｃ−１，３ｄ−１に下方の縁部５０ｆを載置し、浴槽用防水パン３の三方の起立片３ｂ−１（図示略），３ｃ−２，３ｄ−２に下方の縁部５０ｃをビス等からなる連結具４４で連結すると共に、境界部をシール４６してある。
【００６１】
前記壁パネル５１，５２は、発泡させた樹脂素材から成形することで、保温性と遮音性を向上させることも可能である。
【００６２】
（第３の実施の形態）
図１８乃至図２０は本発明浴室構造の第３の実施の形態を示すものであり、図１８は浴槽用防水パン３と三方壁部材６０とを分離して示す斜視図、図１９は、浴槽２，止水材３３，縁部材６２，三方壁部材６０及び浴槽用防水パン３を分離して夫々一部を示す斜視図、図２０は浴槽２と三方壁部材６０と浴槽用防水パン３とを接合した状態を示す断面した斜視図である。
【００６３】
本実施の形態において前記第１の実施の形態と大きく相違する点は、折曲げ自在な板材６１をコ字状に折り曲げると共にコ字状に折り曲げた板材６１の上縁部に縁部材６２を嵌着して三方壁部材６０の三方の壁面部６０ｂ，６０ｃ，６０ｄを形成し、浴槽用防水パン３の三方の載置部３ｂ−１，３ｃ−１，３ｄ−１に凹部形成部材６３を配設して形成した嵌合凹部３ｂ−３，３ｃ−３，３ｄ−３に三方壁部材６０の下方の縁部６０ｆ（図２０参照）を嵌合させて載置したものであり、浴槽２，浴槽用防水パン３，洗い場用防水パン４及びエプロン５に関する構成は第１の実施の形態と実質的に同一である。第１の実施の形態と同一の符号は、同一の構成部材等を示している。
【００６４】
前記板材６１は、合成樹脂製の波板を二枚の合成樹脂製の平板で挟むようにして接合した合成樹脂製の段ボール板材等が用いられ、厚みが２〜３ｍｍ程度で簡単に座屈変形しない三方壁部材６０に適した強度のものが選択される。縁部材６２は、合成樹脂等の素材から平面コ字状に成形され、上方に止水材保持用凹溝６２ａが形成されると共に、下方に板材嵌合用凹溝６２ｂが形成されている。縁部材６２は、三方壁部材６０の上方の縁部６０ｅに強度をもたせて平面コ字状を維持させ、浴槽２との接合を円滑に行えるようにしてある。
【００６５】
前記三方壁部材６０と浴槽用防水パン３の接合は、図２０に示す如く、浴槽用防水パン３の三方の載置部３ｂ−１（図１８参照），３ｃ−１，３ｄ−１に配設した凹部形成部材６３で形成した嵌合凹部３ｂ−３（図１８参照），３ｃ−３，３ｄ−３に、止水材４８を介して三方壁部材６０の下方の縁部６０ｆを嵌合させて止水する。浴槽用防水パン３と凹部形成部材６３は、シール４６して止水してある。
【００６６】
前記三方壁部材６０と浴槽２との接合は、施工現場において、平面コ字状に折曲げた板材６１の上縁に縁部材６２の板材嵌合用凹溝６２ｂを嵌着して三方壁部材６０を形成し、縁部材６２の止水材保持用凹溝６２ａに挿着した止水材３３に、浴槽２の下向きの補強用突片２ｇを食い込ませるようにして止水してある。
【００６７】
なお、前記凹部形成部材６３を用いずに前記三方壁部材６０と浴槽用防水パン３とを接合する構造としては、図示は省略したが、浴槽用防水パン３の載置部３ｂ−１，３ｃ−１，３ｄ−１（図１８参照）から起立した三方の起立片３ｂ−２，３ｃ−２，３ｄ−２に、止水材４８を介して三方壁部材６０の下方の縁部６０ｆを接合し、浴槽用防水パン３の浴槽設置側からビス等の連結具を起立片３ｂ−２，３ｃ−２，３ｄ−２に止め付けて、浴槽用防水パン３の起立片３ｂ−２，３ｃ−２，３ｄ−２に下方の縁部６０ｆを圧着させる構造を採用することも可能である。
【００６８】
本実施の形態に係る本発明浴室構造は、折曲げ自在な板材６１をコ字状に折り曲げて三方壁部材６０を形成しているため、嵩張らないように折り畳んで板材６１を施工現場へ搬入することが可能となり、管理コストや搬送コストを低減できると共に、現場における搬入を楽にできる。
【００６９】
（第４の実施の形態）
図２１乃至図２５は本発明浴室構造の第４の実施の形態を示すものであり、図２１は浴槽用防水パン３と三方壁部材７０とを分離して示す斜視図、図２２は浴槽用防水パン３と三方壁部材７０とを接合した状態を示す斜視図、図２３は浴槽用防水パン３の接合部３ｅ−１と洗い場用防水パン４との接合部４ｅ−３を合わせた状態の要部を拡大して示す斜視図、図２４は浴槽用防水パン３、三方壁部材７０、洗い場用防水パン４及びエプロン５をボルト１３及び止付具３０で接合している途中の状態の要部を拡大して示す斜視図、図２５は浴槽２及び浴槽用防水パン３に三方壁部材７０を接合した状態を拡大して示す左側断面図である。
【００７０】
本実施の形態において前記第１の実施の形態と大きく相違する点は、可撓性シート７１をコ字状に折り曲げて三方壁部材７０の三方の壁面部７０ｂ，７０ｃ，７０ｄを形成したことであり、浴槽２，浴槽用防水パン３，洗い場用防水パン４及びエプロン５に関する構成は第１の実施の形態と実質的に同一である。第１の実施の形態と同一の符号は、同一の構成部材等を示している。
【００７１】
前記三方壁部材７０を形成する可撓性シート７１は、図２１に示す如く、ポリプロピレン（ＰＰ），ポリエステル（ＰＥＴ），ポリエチレン（ＰＥ）等の合成樹脂シートの単層又はラミネートした複層からなる軟質で防水性のもので、厚みとして０．０５〜０．３０ｍｍ程度の範囲から選択される。三方壁部材７０は、可撓性シート７１の左右手前の外面（浴槽設置側と反対側）に止付用補強板７２，７２を接合し、エプロン５との接合のために用いるビス等の止付具３０（図２４）の止め付けができるように止付部２２を設けてある。三方壁部材７０は、可撓性シート７１の左右手前の内面（浴槽設置側）の各々に、縦方向に延びる止水材４７と下端側に配した横方向に延びる止水材３９を貼着できるようにしてある。更に、三方壁部材７０は、可撓性シート７１の上方寄り内面側に横方向に延びる粘着性のある止水材７３を貼着してある。この止水材４７，３９，７３の貼着は、メーカが出荷前に行うか、または、施工者が施工現場で行うことができる。
【００７２】
前記三方壁部材７０と浴槽用防水パン３の接合は、図２１に示すように、浴槽用防水パン３の三方の載置部３ｂ−１，３ｃ−１，３ｄ−１に止水材４８を配置し、施工現場において、三方壁部材７０を形成する可撓性シート７１の下方を内側（浴槽設置側）へ折り曲げて形成した下方の縁部７０ｆを止水材４８の上に貼着し、挟持板７４をビス等の連結具７５で載置部３ｂ−１，３ｃ−１，３ｄ−１に止め付けることで、図２２に示すように、浴槽用防水パン３の三方の載置部３ｂ−１，３ｃ−１，３ｄ−１に三方壁部材７０の三方下方の縁部７０ｆを止水状態で接合してある。
【００７３】
前記三方壁部材７０と浴槽２との接合は、図２５に示す如く、施工現場において、浴槽２の載置部２ｂ，２ｃ，２ｄの上面側周縁に突設した起立片２ｋに、三方壁部材７０を形成する平面コ字状に折曲げた可撓性シート７１の上縁部を巻き込んでクリップ等の止付具７６で止め付ける。このとき、三方壁部材７０は、浴槽２の起立片２ｋとの間に止水材７３を貼着して、浴槽２との間で止水してある。
【００７４】
浴槽用防水パン３、三方壁部材７０、洗い場用防水パン４及びエプロン５の接合は、第１の実施の形態と同様に、図２４に示す如く、上方からボルト１３を、座金３１、エプロン５の下方接合片５ａ−５のボルト挿通孔２４、リング状の止水材２９（図２３参照）、浴槽用防水パン３の手前の接合片３ｅ−１のボルト挿通孔２８（図２３参照）及び洗い場用防水パン４の第２接合片４ｅ−３のボルト挿通孔２３（図９参照）へ挿入して、第２接合片４ｅ−３の下面側に配置されているナット１１（図９参照）に螺着して緊締し、エプロン５の下方接合片５ａ−５と浴槽用防水パン３の手前の接合片３ｅ−１と洗い場用防水パン４の第２接合片４ｅ−３とを止水材９，１０を介して水密に接合（連結）する。ボルト１３の螺着と並行して、ビス等の止付具３０を、リング状の止水材３２及びエプロン５の止付用挿通孔２５へ挿通して三方壁部材７０の止付部２２（図２３参照）へ螺着する等して止め付けて、エプロン５の左右の側方接合片５ａ−７，５ａ−７を三方壁部材７０の手前両側（前方の左右両方）縁部へ接合（連結）する。なお、浴槽用防水パン３、洗い場用防水パン４及びエプロン５の接合構造は、図１４に示す前記接合構造を採用することも可能である。
【００７５】
本実施の形態に係る本発明浴室構造は、折曲げ自在な可撓性シート７１をコ字状に折り曲げて三方壁部材７０を形成しているため、嵩張らないように折り畳んで可撓性シート７１を施工現場へ搬入することが可能となり、管理コストや搬送コストを低減できると共に、現場における搬入を楽にできる。
【００７６】
（第５の実施の形態）
図２６乃至図２９は本発明浴室構造の第５の実施の形態を示すものであり、図２６は浴槽用防水パン３の上に三方壁部材８０を組み立てる途中を示す斜視図、図２７は浴槽用防水パン３の上に三方壁部材８０を組み立てた状態を示す斜視図、図２８は浴槽用防水パン３の接合部３ｅ−１と洗い場用防水パン４との接合部４ｅ−３を合わせた状態の要部を拡大して示す斜視図、図２９は浴槽用防水パン３、三方壁部材８０、洗い場用防水パン４及びエプロン５をボルト１３及び止付具３０で接合している途中の状態の要部を拡大して示す斜視図である。
【００７７】
本実施の形態において前記第１の実施の形態と大きく相違する点は、複数本の支持ポスト８１，８２，８３と複数枚の面材８４とで三方壁部材８０の三方の壁面部８０ｂ，８０ｃ，８０ｄを形成したことであり、浴槽２，浴槽用防水パン３，洗い場用防水パン４及びエプロン５に関する構成は第１の実施の形態と実質的に同一である。第１の実施の形態と同一の符号は、同一の構成部材等を示している。
【００７８】
前記三方壁部材８０は、図２６及び図２７に示す如く、浴槽用防水パン３の三方の載置部３ｂ−１，３ｃ−１，３ｄ−１に支持ポスト８１，８２，８３を立設し、隣接する支持ポスト８１と８２、８２と８３の間に面材８４を配設し、隣接する面材８４，８４どうしを支持ポスト８２，８３を介して水密に接合して形成されている。各支持ポスト８１，８２，８３は、アルミニユーム又は合成樹脂素材から成形され、浴槽用防水パン３の起立片３ｂ−２，３ｃ−２，３ｄ−３に、支持ポストの係止片（図示略）を係止するか又はビス等の取付具（図示略）で取り付けられる。各面材８４は、金属板又は合成樹脂板等から形成され、各支持ポスト８１，８２，８３に設けられた縦凹溝へ嵌入してシール（図示略）される。手前の支持ポスト８１，８１は、図２７に示す如く、止付部２２を設けると共に、縦方向に延びる止水材４７と下端側に配して横方向へ延びる止水材３９（図２８参照）を貼着するようにしてある。
【００７９】
浴槽用防水パン３、三方壁部材８０、洗い場用防水パン４及びエプロン５の接合は、第１の実施の形態と同様に、図２９に示す如く、上方からボルト１３を、座金３１、エプロン５の下方接合片５ａ−５のボルト挿通孔２４、リング状の止水材２９（図２８参照）、浴槽用防水パン３の手前の接合片３ｅ−１のボルト挿通孔２８（図２８参照）及び洗い場用防水パン４の第２接合片４ｅ−３のボルト挿通孔２３（図９参照）へ挿入して、第２接合片４ｅ−３の下面側に配置されているナット１１（図９参照）に螺着して緊締し、エプロン５の下方接合片５ａ−５と浴槽用防水パン３の手前の接合片３ｅ−１と洗い場用防水パン４の第２接合片４ｅ−３とを止水材９，１０を介して水密に接合（連結）する。ボルト１３の螺着と並行して、ビス等の止付具３０を、リング状の止水材３２及びエプロン５の止付用挿通孔２５へ挿通して三方壁部材７０の止付部２２（図２８参照）へ螺着する等して止め付けて、エプロン５の左右の側方接合片５ａ−７，５ａ−７を三方壁部材８０の手前両側（前方の左右両方）縁部へ接合（連結）する。なお、浴槽用防水パン３、洗い場用防水パン４及びエプロン５の接合構造は、図１４に示す前記接合構造を採用することも可能である。
【００８０】
浴槽用防水パン３の上に浴槽２を設置するときには、図２に示す如く、浴槽２及びエプロン５は、浴槽２の手前の水平部２ｍの下面に設けられているエプロン接合用ボルト１９が、起立状態のエプロン５の上方に設けられているボルト挿通孔３８を挿通して化粧カバー収納用突出部５ａ−３の下面側へ突出することになるので、突出したボルト１９にナット２１を螺着して緊締して両者が接合される。
【００８１】
このとき三方壁部材８０とエプロン５と浴槽２とは、図２，図３及び図１１に示す如く、三方壁部材８０が載置された浴槽用防水パン３の上に浴槽２を設置することで、浴槽２の載置部２ｂ，２ｃ，２ｄの下面に、三方壁部材８０の三方上方の縁部８０ｂを止水材３３（図３参照）を介して当接させると共に、浴槽２の左右の外嵌部２ｐ，２ｐの各下面に、エプロン５の左右の嵌合用突起部５ａ−４，５ａ−４の各上面を止水材２６を介して当接させ（図１２参照）、更に、浴槽２の手前の水平部２ｍの下面に設けた止水材２７に、エプロン５の止水片５ａ−８を食い込ませる（図２参照）。
【００８２】
三方壁部材８０を構成する支持ポスト８１，８２，８３は、三方壁部材８０と浴槽２とが前述の如く接合されると、浴槽用防水パン３の起立周壁３ｂ，３ｃ，３ｄ（図２７参照）と浴槽２との間に配設されることになる。
【００８３】
本実施の形態に係る本発明浴室構造は、浴槽用防水パン３２及び浴槽２と別体の複数本の支持ポスト８１，８２，８３と複数枚の面材８４とを用いて三方壁部材を形成しているため、嵩張らないようにして複数本の支持ポスト８１等と複数枚の面材８４を施工現場へ搬入することが可能となり、管理コストや搬送コストを低減できると共に、現場における搬入を楽にできる。
【００８４】
（第６の実施の形態）
図３０は本発明浴室構造の第６の実施の形態を示すものであり、浴槽用防水パン３の上に三方壁部材９０を組み立てる途中を示す斜視図である。
【００８５】
本実施の形態において前記第１の実施の形態と大きく相違する点は、複数本の支持ポスト９１，９２，９３と複数枚の面材９４とで三方壁部材９０の三方の壁面部９０ｂ，９０ｃ，９０ｄを形成したことであり、浴槽２，浴槽用防水パン３，洗い場用防水パン４及びエプロン５に関する構成は第１の実施の形態と実質的に同一である。第１の実施の形態と同一の符号は、同一の構成部材等を示している。
【００８６】
前記三方壁部材９０は、浴槽用防水パン３の三方の載置部３ｂ−１，３ｃ−１，３ｄ−１に支持ポスト９１，９２，９３を立設し、隣接する支持ポスト９１と９２、９２と９３の間に合成樹脂製シート等からなる面材９４を配設し、隣接する面材９４，９４どうしを支持ポスト９２，９３を介して水密に接合して形成されている。各支持ポスト９１，９２，９３は、アルミニユーム、鋼材又は合成樹脂素材から成形され、浴槽用防水パン３の起立片３ｂ−２，３ｃ−２，３ｄ−３に、支持ポストの係止片（図示略）を係止するか又はビス等の取付具（図示略）で取り付けられる。各面材９４は、可撓性シートから形成され、各支持ポスト９１，９２，９３に設けられた平板部へ粘着性の止水材（テープ）で貼着され止水される。各面材９４は、浴槽用防水パン３の三方の載置部３ｂ−１，３ｃ−１，３ｄ−１へ粘着性の止水材（テープ）で貼着され止水される。手前の支持ポスト９１，９１は、止付部２２を設けると共に、縦方向に延びる止水材４７と下端側に配した横方向に延びる止水材３９を貼着してある。
【００８７】
前記三方壁部材９０と浴槽２とは、前記第４実施例の図２５に示す接合構造と同様に、浴槽２の載置部２ｂ，２ｃ，２ｄの上面側周縁に突設した起立片２ｋに、三方壁部材９０を形成する各面材９４の上縁部を巻き込んでクリップ等の止付具７６で止め付ける。このとき、各面材９４は、浴槽２の起立片２ｋに止水材７３を貼着して、浴槽２との間で止水してある。隣接する面材９４，９４の間は、止水テープが貼着された止水される。
【００８８】
浴槽用防水パン３、三方壁部材９０、洗い場用防水パン４及びエプロン５の接合は、前記第５の実施の形態の図２８及び図２９に示す接合構造と同様にして行われる。三方壁部材９０を構成する支持ポスト９１，９２，９３は、三方壁部材９０と浴槽２とが接合されると、浴槽用防水パン３の起立周壁３ｂ，３ｃ，３ｄと浴槽２との間に配設されることになる。
【００８９】
本実施の形態に係る本発明浴室構造は、浴槽用防水パン３２及び浴槽２と別体の複数本の支持ポスト９１，９２，９３と複数枚の面材９４とを用いて三方壁部材を形成しているため、嵩張らないようにして複数本の支持ポスト９１等と複数枚の面材９４を施工現場へ搬入することが可能となり、管理コストや搬送コストを低減できると共に、現場における搬入を楽にできる。
【図面の簡単な説明】
【００９０】
【図１】本発明浴室構造の第１の実施の形態を示すものであり、完成した浴室の左側断面図である。
【図２】図１のイ部を拡大した左側断面図である。
【図３】図１のロ部を拡大した左側断面図である。
【図４】浴槽用防水パン３と、三方壁部材４０を形成する壁パネル４１とを分離して示す斜視図である。
【図５】第１の実施の形態において、三方壁部材４０を形成する壁パネル４１，４１どうしの接合状態を拡大して示す平面断面図である。
【図６】第１の実施の形態において、三方壁部材４０を形成する壁パネル４１と浴槽用防水パン３との接合状態を拡大して示す側面断面図である。
【図７】第１の実施の形態において、浴槽２、接合した浴槽用防水パン３及び三方壁部材４０、洗い場用防水パン４並びにエプロン５を分離して示す斜視図である。
【図８】第１の実施の形態を示すものであり、（Ａ）は浴槽２、三方壁部材４０、浴槽用防水パン３、洗い場用防水パン４及びエプロン５を接合した状態を示す斜視図、（Ｂ）は浴槽２及び洗い場用防水パン４の仕切部材用載置部２ｂ，２ｃ，２ｄ，４ｃに壁パネルからなる仕切部材６Ａ−１〜６Ａ−３を載置した状態を示す斜視図である。
【図９】第１の実施の形態において、浴槽用防水パン３に載置した三方壁部材４０、洗い場用防水パン４及びエプロン５を分離した状態の要部を拡大して示す斜視図である。
【図１０】第１の実施の形態において、浴槽用防水パン３の接合部３ｅ−１と洗い場用防水パン４との接合部４ｅ−３を合わせた状態の要部を拡大して示す斜視図である。
【図１１】第１の実施の形態において、浴槽用防水パン３、三方壁部材４０、洗い場用防水パン４及びエプロン５をボルト１３及び止付具３０で接合している途中の状態の要部を拡大して示す斜視図である。
【図１２】第１の実施の形態を示すものであり、（Ａ）は浴槽２を一部切欠いて止水状態を示す平面図であって切欠いた断面部分は図２及び図３のニーニ線で断面視したものであり、（Ｂ）は（Ａ）から止水材２６，２７，３３を無くした状態を示す平面図である。
【図１３】第１の実施の形態を示すものであり、（Ａ）〜（Ｄ）は三方壁部材４０と浴槽２との接合構造の別態様を示す斜視図である。
【図１４】第１の実施の形態を示すものであり、洗い場用防水パン４と浴槽用防水パン３とエプロン５とを接合する構造の別態様を拡大して示す左側断面図であって、同図の（Ａ）は洗い場用防水パン４，浴槽用防水パン３及びエプロン５を分離した状態を示し、同図の（Ｂ）はこれらを接合した状態を示すものである。
【図１５】（Ａ）（Ｂ）は浴槽用防水パン３及び三方壁部材４０を用いない浴室構造を拡大して示すものであって、（Ａ）は図１のイ部に対応する部分の左側断面図、（Ｂ）は図１のロ部に対応する部分の左側断面図、（Ｃ）は（Ａ）のホ部を拡大した左側断面図、（Ｄ）及び（Ｅ）は洗い場用防水パン４とエプロン５との接合に用いる係止金具付きナツト３５の断面図及び平面図である。
【図１６】本発明浴室構造の第２の実施の形態を示すものであり、浴槽２と止水材３３と三方壁部材５０を構成する壁パネル５１，５２とを分離して示す中間省略した斜視図である。
【図１７】第２の実施の形態において、浴槽２と三方壁部材５０と浴槽用防水パン３とを接合した状態を示す断面した斜視図である。
【図１８】本発明浴室構造の第３の実施の形態を示すものであり、浴槽用防水パン３と浴槽２と三方壁部材６０とを分離して示す斜視図である。
【図１９】第３の実施の形態において、浴槽２，止水材３３，縁部材６１，三方壁部材６０及び浴槽用防水パン３の夫々一部を分離して示す斜視図である。
【図２０】第３の実施の形態において、浴槽２と三方壁部材６０と浴槽用防水パン３とを接合した状態を示す断面した斜視図である。
【図２１】本発明浴室構造の第４の実施の形態を示すものであり、浴槽用防水パン３と三方壁部材７０とを分離して示す斜視図である。
【図２２】第４の実施の形態において、浴槽用防水パン３と三方壁部材７０とを接合した状態を示す斜視図である。
【図２３】第４の実施の形態において、浴槽用防水パン３の接合部３ｅ−１と洗い場用防水パン４との接合部４ｅ−３を合わせた状態の要部を拡大して示す斜視図である。
【図２４】第４の実施の形態において、浴槽用防水パン３、三方壁部材７０、洗い場用防水パン４及びエプロン５をボルト１３及び止付具３０で接合している途中の状態の要部を拡大して示す斜視図である。
【図２５】第４の実施の形態において、浴槽２及び浴槽用防水パン３に三方壁部材７０を接合した状態を拡大して示す左側断面図である。
【図２６】本発明浴室構造の第５の実施の形態を示すものであり、浴槽用防水パン３の上に三方壁部材８０を組み立てる途中を示す斜視図である。
【図２７】第５の実施の形態において、浴槽用防水パン３の上に三方壁部材８０を組み立てた状態を示す斜視図である。
【図２８】第５の実施の形態において、浴槽用防水パン３の接合部３ｅ−１と洗い場用防水パン４との接合部４ｅ−３を合わせた状態の要部を拡大して示す斜視図である。
【図２９】第５の実施の形態において、浴槽用防水パン３、三方壁部材８０、洗い場用防水パン４及びエプロン５をボルト１３及び止付具３０で接合している途中の状態の要部を拡大して示す斜視図である。
【図３０】本発明浴室構造の第６の実施の形態を示すものであり、浴槽用防水パン３の上に三方壁部材９０を組み立てる途中を示す斜視図である。
【符号の説明】
【００９１】
２…浴槽、３…浴槽用防水パン、３ｂ，３ｃ，３ｅ…起立周壁、４…洗い場用防水、５…エプロン、６…仕切部材、４２…接合用口部、Ｑ…浴室外空間
【図１】
2008169600.tif 000003
【図２】
2008169600.tif 000004
【図３】
2008169600.tif 000005
【図４】
2008169600.tif 000006
【図５】
2008169600.tif 000007
【図６】
2008169600.tif 000008
【図７】
2008169600.tif 000009
【図８】
2008169600.tif 000010
【図９】
2008169600.tif 000011
【図１０】
2008169600.tif 000012
【図１１】
2008169600.tif 000013
【図１２】
2008169600.tif 000014
【図１３】
2008169600.tif 000015
【図１４】
2008169600.tif 000016
【図１５】
2008169600.tif 000017
【図１６】
2008169600.tif 000018
【図１７】
2008169600.tif 000019
【図１８】
2008169600.tif 000020
【図１９】
2008169600.tif 000021
【図２０】
2008169600.tif 000022
【図２１】
2008169600.tif 000023
【図２２】
2008169600.tif 000024
【図２３】
2008169600.tif 000025
【図２４】
2008169600.tif 000026
【図２５】
2008169600.tif 000027
【図２６】
2008169600.tif 000028
【図２７】
2008169600.tif 000029
【図２８】
2008169600.tif 000030
【図２９】
2008169600.tif 000031
【図３０】
2008169600.tif 000032